(57)【要約】【課題】  揺動選別装置で揺動移送して、揺動選別する脱穀処理物を分散させて漏下させ、選別性能の向上を図ろうとするものである。【解決手段】  脱穀室５内で脱穀した脱穀処理物を受けて、揺動移送しながら揺動選別する揺動選別装置８ａの移送棚９ａの後側には、上グレンシーブ９ｂを設け、又、揺動選別装置８ａの下側前部に設けた送風機１４から発生する選別風を、後側へ設けた上・下風割１５ａ，１５ｂの、この上風割１５ａの上側より、上グレンシーブ９ｂへ向けて送風する構成である。又、上グレンシーブ９ｂの下側には、穀粒移送棚１１ａを設け、下側には、選別風を送風する上副選別風路１２を、前・後ガイド板１１ｂ，１１ｃで形成した構成である。【選択図】  図１。
2005210942.tif 000002
【特許請求の範囲】
【請求項１】
穀稈を脱穀する脱穀室５等から脱穀処理物の供給を受けて、揺動移送しながら揺動選別する選別室６内には、揺動選別装置８ａを設けた脱穀機において、前記揺動選別装置８ａには、移送始端部より、順次複数の山形状を形成した移送棚９ａと、上グレンシーブ９ｂと、漏下量を調節可能に回動自在な左右方向へ複数の上チャフシーブ９ｃと、前後方向へ複数のストローラック９ｄとを設け、又、各上チャフシーブ９ｃの下側には、下グレンシーブ１０ｂと、各ストローラック９ｄの下側には、流下棚１０ｃとを設けると共に、揺動選別装置８ａ下側の移送始端部側には、落下する揺動選別済み物を風選別する送風機１４と、該送風機１４から発生する選別風を分割する後側には、上風割１５ａと、下風割１５ｂとを設け、上風割１５ａ上を送風される選別風を上グレンシーブ９ｂへ向けて送風すべく設けたことを特徴とする脱穀機の揺動移送選別装置。
【請求項２】
前記上グレンシーブ９ｂの下側には、揺動選別物が流下する穀粒移送棚１１ａを設け、該穀粒移送棚１１ａの下側には、送風機１４から発生する選別風を送風する上副選別風路１２を設けたことを特徴とする請求項１に記載の脱穀機の揺動移送選別装置。
【請求項３】
前記穀粒移送棚１１ａの下側には、上副選別風路１２内を送風される選別風を上グレンシーブ９ｂへ向けて送風案内すべく上副選別風路１２の上側面部を形成する前ガイド板１１ｂを設けたことを特徴とする請求項１、又は請求項２に記載の脱穀機の揺動移送選別装置。
【請求項４】
前記前ガイド板１１ｂの後側で上副選別風路１２の下側面部を形成する後ガイド板１１ｃの下端部は、上風割１５ａ前側面の延長線上へ位置させると共に、前ガイド板１１ｂと略平行状態に形成して設けたことを特徴とする請求項１、又は請求項２、又は請求項３に記載の脱穀機の揺動移送選別装置。
【発明の詳細な説明】
【技術分野】
【０００１】
穀稈が脱穀される脱穀室等から供給される脱穀処理物を受けて、揺動移送しながら揺動選別する揺動選別装置には、移送棚の後側に、上グレンシーブを設け、揺動選別装置の下側前部に設けた送風機から発生する選別風を、後側へ設けた上・下風割の、この上風割の上側より、上グレンシーブへ向けて送風すべく設けた技術であり、脱穀機の揺動移送選別装置として利用できる。
【背景技術】
【０００２】
例えば、コンバインの走行車台の上側へ載置した脱穀機であると、このコンバインの走行車台の前方部へ設けた刈取機で立毛穀稈は刈取りされ、この刈取り穀稈はこの刈取機で後方上部へ移送され、脱穀機へ供給され、この脱穀機で引継ぎされる。
【０００３】
前記脱穀機へ引継ぎされた穀稈は、特許第３３３６２５２号公報の如く脱穀室内を移送中に脱穀され、脱穀済み脱穀処理物は、揺動移送中に揺動選別する揺動選別装置上へ供給され、この揺動選別装置の前部に設けた流穀板から、後側へ設けた固定チャフ、及び可動チャフ上を揺動移送されながら、揺動選別されて、漏下すると共に、この漏下中の揺動選別物は、流穀板の下部へ設けた唐箕から発生する一部の選別風は、上部の副選別風送風口から、前後に設けた前・後ガイド板で案内されて送風され、この案内送風される副選別風で選別されながら、グレンシーブ上へ供給され、このグレンシーブ上を揺動移送されながら、揺動選別されて漏下すると共に、この漏下中の揺動選別物は、唐箕から発生する主選別風は、主選別風送風口から送風され、この揺動選別物は、穀粒と、藁屑、塵埃、及び稈切等とに主選別され、穀粒は穀粒貯留タンク内へ揚送されて、一時貯留される。又、藁屑等は機外へ排出される。
【特許文献１】特許第３３３６２５２号公報
【発明の開示】
【発明が解決しようとする課題】
【０００４】
唐箕から発生する選別風は、副選別風送風口と、主選別風送風口とに二分割して送風させ、固定チャフ、及び可動チャフから落下する揺動選別物は、副選別風送風口から送風される選別風で選別させていることにより、これから落下する揺動選別物は、比較的かたまって落下することがあり、このために、確実な風選別ができないことがあり、一番口穀粒の選別性能が悪くなることがあったが、この発明により、これらの問題点を解決しようとするものである。
【課題を解決するための手段】
【０００５】
このために、この発明は、請求項１に記載の発明においては、穀稈を脱穀する脱穀室５等から脱穀処理物の供給を受けて、揺動移送しながら揺動選別する選別室６内には、揺動選別装置８ａを設けた脱穀機において、前記揺動選別装置８ａには、移送始端部より、順次複数の山形状を形成した移送棚９ａと、上グレンシーブ９ｂと、漏下量を調節可能に回動自在な左右方向へ複数の上チャフシーブ９ｃと、前後方向へ複数のストローラック９ｄとを設け、又、各上チャフシーブ９ｃの下側には、下グレンシーブ１０ｂと、各ストローラック９ｄの下側には、流下棚１０ｃとを設けると共に、揺動選別装置８ａ下側の移送始端部側には、落下する揺動選別済み物を風選別する送風機１４と、該送風機１４から発生する選別風を分割する後側には、上風割１５ａと、下風割１５ｂとを設け、上風割１５ａ上を送風される選別風を上グレンシーブ９ｂへ向けて送風すべく設けたことを特徴とする脱穀機の揺動移送選別装置としたものである。
【０００６】
例えば、コンバインの走行車台の上側へ載置した脱穀機であると、このコンバインの走行車台の前方部へ設けた刈取機で立毛穀稈は刈取りされ、この刈取り穀稈はこの刈取機で後方上部へ移送され、脱穀機へ供給され、この脱穀機で引継ぎされる。
【０００７】
前記脱穀機へ引継ぎされた穀稈は、脱穀室５内を挟持移送中に脱穀され、脱穀済み脱穀処理物は、揺動移送中に揺動選別する揺動選別装置８ａ上へ供給され、この揺動選別装置８ａの移送始端部より、順次設けた複数の山形状を形成した移送棚９ａから、上グレンシーブ９ｂ上を揺動移送中に揺動選別されながら、揺動選別装置８ａ下側の移送始端部側へ設けた送風機１４から発生する選別風は、後側へ設けた上風割１５ａの上側から、上グレンシーブ９ｂへ向けて送風され、このグレンシーブ９ｂから漏下する揺動選別物が風選別される。
【０００８】
前記上グレンシーブ９ｂから漏下しなかった一部の揺動選別物は、後側へ漏下量を調節可能で、左右方向へ設けた複数の上チャフシーブ９ｃ上を揺動移送されて、揺動選別され、揺動選別済みの揺動選別物の一部は漏下される。又、漏下しなかった一部の揺動選別物は、後側で前後方向へ設けた複数のストローラック９ｄ上を揺動移送されて、揺動選別され、揺動選別済みの揺動選別物の一部は漏下される。
【０００９】
前記上グレンシーブ９ｂから漏下した揺動選別物と、各上チャフシーブ９ｃ間から漏下した揺動選別物とは、下グレンシーブ１０ｂ上へ供給され、この下グレンシーブ１０ｂ上を揺動移送されて、揺動選別され、揺動選別済みの揺動選別物は、下グレンシーブ１０ｂから漏下中に上風割１５ａの下側と、下風割１５ｂの下側との両者の間を送風される主選別風で風選別され、一番口穀粒として揚送される。
【００１０】
前記上チャフシーブ９ｃの移送終端部から排出される一部の揺動選別物と、各ストローラック９ｄから漏下した一部の揺動選別物との両者は、二番物として揚送されて再脱穀処理される。
【００１１】
前記各ストローラック９ｄから漏下しなかった一部の揺動選別物の内の主として、藁屑、塵埃、稈切等は、機外へ排出される。又、風選別された藁屑、塵埃、稈切等も同時に機外へ排出される。
【００１２】
請求項２に記載の発明においては、前記上グレンシーブ９ｂの下側には、揺動選別物が流下する穀粒移送棚１１ａを設け、該穀粒移送棚１１ａの下側には、送風機１４から発生する選別風を送風する上副選別風路１２を設けたことを特徴とする請求項１に記載の脱穀機の揺動移送選別装置としたものである。
【００１３】
脱穀処理物を揺動移送しながら揺動選別する揺動選別装置８ａの移送始端部の移送棚９ａの後側へ設けた上グレンシーブ９ｂの下側には、この上グレンシーブ９ｂから漏下した揺動選別物は、この上グレンシーブ９ｂの下側へ設けた穀粒移送棚１１ａの上側面を流下して、下グレンシーブ１０ｂ上側へ供給され、この揺動選別物は再度揺動選別されるが、この下グレンシーブ１０ｂへ流下供給されるときは、この揺動選別物は、送風機１４から発生する選別風が、上風割１５ａ上へ形成された上副選別風路１２を送風されて、揺動選別と同時に風選別されながら、下グレンシーブ１０ｂへ漏下供給される。
【００１４】
請求項３に記載の発明においては、前記穀粒移送棚１１ａの下側には、上副選別風路１２内を送風される選別風を上グレンシーブ９ｂへ向けて送風案内すべく上副選別風路１２の上側面部を形成する前ガイド板１１ｂを設けたことを特徴とする請求項１、又は請求項２に記載の脱穀機の揺動移送選別装置としたものである。
【００１５】
脱穀処理物を揺動移送しながら揺動選別する揺動選別装置８ａの移送始端部の移送棚９ａの後側の上グレンシーブ９ｂの下側には、この上グレンシーブ９ｂから漏下した揺動選別物は、この上グレンシーブ９ｂの下側へ設けた穀粒移送棚１１ａの上側面を流下して、下グレンシーブ１０ｂの上側へ供給されて、これらを経て揺動選別されると共に、送風機１４から発生する選別風が、上風割１５ａ上側の上副選別風路１２へ送風されることにより、風選別される。この風選別は上副選別風路１２の上側面部を形成する前ガイド板１１ｂを設けたことにより、上グレンシーブ９ｂへ向けて確実に送風案内されることにより、この上グレンシーブ９ｂから漏下する脱穀処理物は、揺動選別と、風選別との両者が行われて、下側の下グレンシーブ１０ｂへ供給され、この下グレンシーブ１０ｂで再度揺動選別される。
【００１６】
請求項４に記載の発明においては、前記前ガイド板１１ｂの後側で上副選別風路１２の下側面部を形成する後ガイド板１１ｃの下端部は、上風割１５ａ前側面の延長線上へ位置させると共に、前ガイド板１１ｂと略平行状態に形成して設けたことを特徴とする請求項１、又は請求項２、又は請求項３に記載の脱穀機の揺動移送選別装置としたものである。
【００１７】
脱穀処理物を揺動移送しながら揺動選別する揺動選別装置８ａの移送始端部の移送棚９ａの後側の上グレンシーブ９ｂの下側へ設けた穀粒移送棚１１ａの上側面を流下して、下グレンシーブ１０ｂの上側へ供給されて、これらを経て揺動選別されると共に、送風機１４から発生する選別風が、上風割１５ａ上側の上副選別風路１２へ送風されることにより、風選別される。この選別風は上副選別風路１２の上側面を形成する前ガイド板１１ｂと、下側面部を形成する後ガイド板１１ｃとにより、形成された上副選別風路１２へ送風されることにより、風選別される。この上副選別風路１２の下側面部を形成する後ガイド板１１ｃの下端部は、上風割１５ａ前側面の延長線上へ位置させると共に、前ガイド板１１ｂと略平行状態に形成して設け、上副選別風路１２を送風する選別風を上グレンシーブ９ｂへ向けて送風案内されることにより、この上グレンシーブ９ｂから漏下する脱穀処理物は、揺動選別と、風選別との両者が行われて、下側の下グレンシーブ１０ｂへ供給され、この下グレンシーブ１０ｂで再度揺動選別される。
【発明の効果】
【００１８】
請求項１に記載の発明においては、脱穀処理物を揺動移送しながら揺動選別する揺動選別装置８ａの移送始端部の移送棚９ａの後側には、上グレンシーブ９ｂを設けると共に、この上グレンシーブ９ｂから漏下する揺動選別物を風選別する送風機１４から発生する選別風を、分割する後側には、上風割１５ａと、下風割１５ｂとを設け、この上風割１５ａの上側を送風される選別風を、上グレンシーブ９ｂへ向けて送風させたことにより、粗大な藁屑、及び稈切は、上グレンシーブ９ｂの後側の各チャフシーブ９ｃへ揺動移送されることにより、選別性能が向上する。又、上風割１５ａの上側へ送風される選別風による圧風選別能力の向上により、選別処理能力が向上する。
【００１９】
請求項２に記載の発明においては、前記上グレンシーブ９ｂの下側には、揺動選別物が流下する穀粒移送棚１１ａを設けると共に、この穀粒移送棚１１ａの下側には、送風機１４から発生する選別風を送風する上副選別風路１２を設けたことにより、上グレンシーブ９ｂから漏下した揺動選別物を穀粒移送棚１１ａ上で流下選別することにより、浮遊選別距離が拡大して、選別能力が向上する。又、上副選別風路１２を送風される副選別風により、第一次風選別されることにより、主選別風での選別能力に余裕ができて、性別性能が向上する。
【００２０】
請求項３に記載の発明においては、前記穀粒移送棚１１ａの下側には、上副選別風路１２内を送風される選別風を上グレンシーブ９ｂへ向けて送風案内する上副選別風路１２の上側面部を形成する前ガイド板１１ｂを設けたことにより、上グレンシーブ９ｂから漏下する揺動選別物を確実に圧風選別することができる。
【００２１】
請求項４に記載の発明においては、前記前ガイド板１１ｂの後側で、上副選別風路１２の下側面部を形成する後ガイド板１１ｃの下端部は、上風割１５ａ前側面の延長線上へ位置させると共に、前ガイド板１１ｂと略平行状態に形成して設けたことにより、これら前・後ガイド板１１ｂ，１１ｃを間へ形成される上副選別風路１２を送風される副選別風は、確実に上グレンシーブ９ｂへ向けて、送風されることにより、この上グレンシーブ９ｂから漏下する揺動選別物を、確実に圧風選別することができる。
【発明を実施するための最良の形態】
【００２２】
以下、本発明の一実施例を図面に基づいて説明する。
【００２３】
コンバイン１の走行車台２の上側部へ載置した脱穀機３について説明する。コンバイン１の走行車台２の前方部に設けた刈取機１６で刈取りされた穀稈は、この刈取機１６で後方上部へ移送され、脱穀機３のフィードチェン４ａと、挟持杆４ｂとで引継ぎされ、脱穀機３の脱穀室５内を挟持移送中に扱胴５ｂで脱穀され、脱穀処理物は、脱穀室５等から漏下して、選別室６へ内装して、揺動移送しながら、揺動選別する揺動選別装置８ａを設けた構成である。この揺動選別装置８ａは移送始端部より、上側には、移送棚９ａと、上グレンシーブ９ｂと、複数のチャフシーブ９ｃと、複数のストローラック９ｄ等とを設けると共に、下側には、穀粒移送棚１１ａと、複数の下チャフシーブ１０ａと、下グレンシーブ１０ｂと、流下棚１０ｃ等を設けた構成である。揺動選別装置８ａの下側前部には、送風機１４を設け、この送風機１４の後部には、上・下風割１５ａ，１５ｂを設け、上風割１５ａの上側には、送風機１４から発生する選別風を送風する上副選別風路１２を設けると共に、下風割１５ｂの上下両側には、上・下主選別風路１３ａ，１３ｂを設けた構成である。これら揺動選別装置８ａ、上副選別風路１２、上・下主選別風路１３ａ，１３ｂ等を主に図示して説明する。
【００２４】
前記コンバイン１の走行車台２の下側には、図２で示す如く土壌面を走行する左右一対の走行クローラ１７ａを張設した走行装置１７を配設し、走行車台２の上側の左側には、脱穀機３を載置した構成である。走行車台２の前方部の刈取機１６で立毛穀稈を刈取りし、この刈取り穀稈は、この刈取機１６で後方上部へ移送され、脱穀機３のフィードチェン４ａと、挟持杆４ｂとで引継ぎされて、後方部へ挟持移送されながら脱穀される。脱穀済みで選別済み穀粒は、脱穀機３の右横側の上側に配設した穀粒貯留タンク１８内へ一時貯留される。
【００２５】
前記走行車台２の前方部には、図２で示す如く前端位置から立毛穀稈を分離するナローガイド１９ａ、及び各分草体１９ｂと、立毛穀稈を引起す各引起装置１９ｃと、引起された穀稈を掻込みする穀稈掻込移送装置２０の各掻込装置２０ａと、掻込された穀稈を刈取る刈刃装置１９ｄと、刈取りされた穀稈を挟持移送して、脱穀機３のフィードチェン４ａと、挟持杆４ｂとへ受渡しする穀稈掻込移送装置２０の根元・穂先移送装置２１ａ，２１ｂ等からなる刈取機１６を設けている。該刈取機１３は、油圧駆動による伸縮シリンダ２２により、土壌面に対して、昇降自在に移動する構成である。
【００２６】
前記刈取機１６の前方下部から後方上部へ傾斜する支持杆２２ａの上端部には、左右方向の支持パイプ杆２２ｂを設け、この支持パイプ杆２２ｂを走行車台２の上側面に設けた支持装置２２ｃで回動自在に支持させて、伸縮シリンダ２２の作動により、刈取機１６は支持パイプ杆２２ｂを回動中心として、上下に回動する構成である。
【００２７】
前記刈取機１６の穀稈掻込移送装置２０によって形成される穀稈移送経路中には、刈取られて移送される穀稈に接触作用することにより、脱穀機３へ穀稈の供給の有無を検出する穀稈センサ１６ａを設けた構成である。
【００２８】
前記穀粒貯留タンク１８側の前部には、図２で示す如くコンバイン１を始動、停止、及び各部を調節等の操作を行う操作装置２３ａと、これら操作を行う作業者が搭乗する操縦席２３ｂとを設け、この操縦席２３ｂの下側で、走行車台２の上側面には、エンジン２４を載置すると共に、後方部には、穀粒貯留タンク１８を配設する。これら走行装置１７と、刈取機１６と、脱穀機３と、エンジン２４等により、コンバイン１の機体１ａを形成した構成である。
【００２９】
前記走行車台２の前端部に装架した走行用のミッションケース２５内の伝動機構２５ａの伝動経路中には、その出力に基づいて、走行車速を検出するポテンションメータ方式の車速センサ２５ｂを設けた構成である。
【００３０】
前記走行車台２の前方部の刈取機１６で刈取りされ、上部へ移送された穀稈を引継ぎ脱穀する脱穀機３は、走行車台２の左上側面へ載置すると共に、右側には、穀粒貯留タンク１８を載置し、脱穀機３で脱穀、及び選別済み穀粒を、揚穀装置２６で揚送して穀粒貯留タンク１８内へ供給し、一時貯留する構成である。
【００３１】
前記脱穀機３は、図１で示す如く箱形状の箱体に形成して、上方左側部には、刈取機１６で上部へ移送された刈取り穀稈を引継ぎし、挟持移送するフィードチェン４ａと、挟持杆４ｂとを設けた構成である。これらフィードチェン４ａと、挟持杆４ｂとにより、挟持された穀稈は、脱穀機３上部に設けた脱穀室５内を挟持移送中に、この脱穀室５内へ多種類で、多数本の扱歯５ｃを外周部へ植設して、回転自在な扱胴軸５ａへ軸支した扱胴５ｂのこれら各扱歯５ｃにより、脱穀する構成である。又、この扱胴５ｂの各扱歯５ｃの回転外周下部には、脱穀処理物が漏下する脱穀室網５ｄを張設した構成である。
【００３２】
前記脱穀室５の下側には、図１で示す如く選別室６を設け、この選別室６内には、脱穀室網５ｄから漏下する脱穀処理物、及び後述する排塵処理室２７と、二番処理室２８とから漏下する再脱穀処理物等の供給を受けて、揺動移送しながら揺動選別する揺動選別装置８ａと、揺動カム装置８ｂと、ローラ装置８ｃ等とよりなる揺動移送選別装置７を吊り下げ状態に設けた構成である。
【００３３】
前記脱穀室５の移送終端部には、図１で示す如くこの脱穀室５内で未脱穀処理の排塵物を排塵処理室２７へ排出供給する扱室排出口５ｅを設けた構成である。
【００３４】
前記排塵処理室２７内には、図１で示す如く脱穀室５の扱室排出口５ｅより、排出供給される排塵物を再脱穀処理する排塵胴２７ｂを軸支した回転自在な排塵軸２７ａを軸支した構成である。排塵胴２７ｂの外周部には、移送始端部より、螺旋プレート２７ｃと、複数個の排出爪２７ｄと、排塵排出爪２７ｅとを設けた構成である。又、排塵胴２７ｂの螺旋プレート２７ｃ、排塵爪２７ｄ等との回転外周下側には、再脱穀処理物が漏下する漏下具２７ｆを設けると共に、排塵処理室２７の移送終端部には、漏下具２７ｆから漏斗しなかった再脱穀処理した主として、藁屑、及び稈切等が排出される排塵排出口２７ｈを設けた構成である。
【００３５】
前記排塵処理室２７の前側には、図１で示す如く二番処理室２８を設け、この二番処理室２８内には、未脱穀処理物の二番物の供給を受けて、再脱穀処理する二番胴２８ａを、回転自在に軸支して設けた排塵軸２７ａの前方部側へ軸支した構成である。二番胴２８ａの外周部には、移送始端部より、複数の二番爪２８ｂと、二番排出爪２８ｃとを設けた構成である。又、二番胴２８ａの二番爪２８ｂと、二番排出爪２８ｃ等との回転外周下側には、再脱穀処理物が漏下する二番室網２８ｄを張設した構成である。二番処理室２８の移送終端部には、二番室網２８ｄから漏下しなかった再脱穀処理物が、排出される二番排出口２８ｅを設けた構成である。
【００３６】
前記脱穀室５下側の選別室６内には、図１で示す如く脱穀室５の脱穀室網５ｄから漏下した脱穀処理物と、漏下具２７ｆ、及び二番室網２８ｄから漏下した再脱穀処理物と、排塵排出口２７ｈ、及び二番排出口２８ｅから排出された再脱穀処理物との供給を受けて、揺動移送しながら、揺動選別する揺動移送選別装置７を設けた構成である。
【００３７】
前記揺動移送選別装置７の揺動選別装置８ａは、図１で示す如く左・右側板８ｄ，８ｅ内には、移送始端部より、上側部には、順次に複数個の山形状に形成した移送棚９ａと、網材等よりなる上グレンシーブ９ｂと、前後方向に所定間隔で、開閉自在で漏下量が調節可能で、例えば、鉄板材等よりなり、回動自在に左右方向へ軸支した複数個の上チャフシーブ９ｃと、左右方向に所定間隔で、鋸刃形状で鉄板材よりなり、前後方向にストローラック９ｄとを設けると共に、各上グレンシーブ９ｂの移送終端部側の下側部には、前後方向に所定間隔で、開閉自在で漏下量が調節可能で、例えば、鉄板材等よりなり、回動自在に左右方向へ軸支した複数個の下チャフシーブ１０ａと、これら上・下チャフシーブ９ｃ，１０ａの下側には、網材等よりなる下グレンシーブ１０ｂと、各ストローラックの下側には、前方下部へ傾斜する流下棚１０ｃとを設けた構成である。
【００３８】
前記揺動選別装置８ａは、図１で示す如くこの揺動選別装置８ａを揺動回動する前部左右両側には、揺動カム装置８ｂを設けると共に、後部左右両側には、ローラ装置８ｃを設けた構成である。
【００３９】
前記揺動選別装置８ａの下側前部には、図１で示す如く送風機１４を設けた構成である。この送風機１４は、円形状の上風胴１４ｃと、円形状から後方へ突出させて設けた下風胴１４ｄとへ内装して回転自在に軸支した送風軸１４ａには、送風羽根１４ｂを軸支して設け、この送風羽根１４ｂから発生する起風を選別風として、揺動選別装置８ａから落下する落下物である。揺動選別物を風選別する構成である。
【００４０】
前記送風機１４には、図１で示す如くこの送風機１４から発生する選別風を上、中、下とに３分割する略三角形状の上風割１５ａと、下風割１５ｂとを設けた構成である。上風割１５ａの上側には、上副選別風路１２を設けると共に、下風割１５ｂの上側には、上主選別風路１３ａを設け、又、下側には、下主選別風路１３ｂを設けた構成である。
【００４１】
前記揺動選別装置８ａから落下する揺動選別済みの揺動選別物は、送風機１４の送風羽根１４ｂから、発生する選別風で風選別する構成である。上風割１５ａの上側の上副選別風路１２内を送風される選別風は、揺動選別装置８ａの上グレンシーブ９ｂへ向けて送風すべく形成して設けた構成である。この上グレンシーブ９ｂを漏下する揺動選別物を、第一次風選別する構成である。
【００４２】
脱穀処理物を揺動移送しながら揺動選別する揺動選別装置８ａの移送棚９ａの後側には、上グレンシーブ９ｂを設けると共に、この上グレンシーブ９ｂから漏下する揺動選別物を風選別する送風機１４から発生する選別風を、分割する後側には、上風割１５ａと、下風割１５ｂとを設け、この上風割１５ａ上側を送風される選別風を、上グレンシーブ９ｂへ向けて送風させたことにより、粗大な藁屑、及び稈切等は、上グレンシーブ９ｂの後側の各上チャフシーブ９ｃ上へ揺動移送されることにより、第一次風選別され、選別性能が向上する。又、上風割１５ａの上側へ送風される選別風による圧風選別性能の向上により、選別処理能力が向上する。
【００４３】
前記揺動選別装置８ａの上グレンシーブ９ｂの下側には、図１で示す如く所定の隙間を設けて、揺動選別物が流下する逆へ字形状の穀粒移送棚１１ａを設け、この穀粒移送棚１１ａの下側には、送風機１４の送風羽根１４ｂから発生する選別風を送風する上副選別風路１２を配設した構成である。
【００４４】
前記揺動選別装置８ａの上グレンシーブ９ｂの下側には、揺動選別物が流下する穀粒移送棚１１ａを設けると共に、この穀粒移送棚１１ａの下側には、送風機１４から発生する選別風を送風する上副選別風路１２を設けたことにより、上グレンシーブ９ｂから漏下した揺動選別物を穀粒移送棚１１ａ上で流下選別することにより、浮遊選別距離が拡大して、選別能力が向上する。又、上副選別風路１２を送風される副選別風により、第一次選別されることにより、主選別風での選別能力に余裕ができて、性別能力が向上する。
【００４５】
前記揺動選別装置８ａの上グレンシーブ９ｂの下側へ設けた穀粒移送棚１１ａの下側には、図１で示す如く上副選別風路１２内を送風される選別風を、上グレンシーブ９ｂへ向けて、送風案内すべく上副選別風路１２の上側面部を形成する前ガイド板１１ｂを、穀粒移送棚１１ａの略中間位置と、上風胴１５ａの後端部位置との間に設けて、これらを接続させた構成である。
【００４６】
前記穀粒移送棚１１ａの下側には、上副選別風路１２内を送風される。選別風を上グレンシーブ９ｂへ向けて、送風案内する上副選別風路１２の上側面部を形成する前ガイド板１１ｂを、穀粒移送棚１１ａと、上風割１５ａとの間に設けたことにより、上グレンシーブ９ｂから漏下する揺動選別物を確実に圧風選別することにより、選別性能の向上を図ることができる。
【００４７】
前記揺動選別装置８ａの上グレンシーブ９ｂの下側へ設けた穀粒移送棚１１ａの下側前ガイド板１１ｂの後側で、上副選別風路１２の下側面部を形成する後ガイド板１１ｃは、図１で示す如くこの後ガイド板１１ｃは、略へ字形状に形成して、下端部位置は、上風割１５ａの前側面の延長線上へ位置させると共に、後ガイド板１１ｃの前側面は、前ガイド板１１ｂと略平行状態に形成して設けた構成である。
【００４８】
前記前ガイド板１１ｂの後側で、上副選別風路１２の下側面部を形成する後ガイド板１１ｃの下端部は、上風割１５ａの前側面の延長線上へ位置させると共に、前ガイド板１１ｂと略平行状態に形成して設けたことにより、これら前・後ガイド板１１ｂ，１１ｃ間へ形成される上副選別風路１２を送風される副選別風は、確実に上グレンシーブ９ｂへ向けて、送風されることにより、この上グレンシーブ９ｂから漏下する揺動選別物を、確実に圧風選別することにより、選別性能の向上を図ることができる。
【００４９】
前記揺動選別装置８ａの上グレンシーブ９ｂの移送終端部（イ）と、送風機１４の送風羽根１４ｂの回転外周部（ロ）とは、図１で示す如く略同じ位置へ位置させて設けた構成である。
【００５０】
これにより、前記脱穀機３をコンパクトにすることができる。又、上グレンシーブ９ｂから揺動選別物を漏下させることにより、選別能力の向上を図ることができる。
【００５１】
前記送風機１４の送風羽根１４ｂは、図１で示す如く回転外周より、所定距離内径側位置までの間は、回転外周方向へ向けて所定角度（α）傾斜させて設けた構成である。
【００５２】
これにより、前記上副選別風路１２へ送風する選別風の能力向上を図ることができる。
【００５３】
前記揺動選別装置８ａで揺動選別され、送風機１４で風選別された穀粒は、図１で示す如く一番選別装置２９の一番選別棚２９ａを流下中に、下主選別風路１３ｂを送風される主選別風により、再選別されて、一番移送受樋２９ｂ内へ供給され、この一番移送受樋２９ｂへ軸支内装した一番移送螺旋２９ｃにより、いずれか一方側の、例えば、右外側へ設けた揚穀装置２６内へ移送供給され、この揚穀装置２６内へ回転自在に軸支内装した一番揚穀螺旋２６ａで引継ぎされて、上方へ揚送され、穀粒貯留タンク１８内へ供給され、一時貯留される構成である。
【００５４】
前記一番選別装置２９の後側には、図１で示す如く揺動選別装置８ａの移送終端部等より、落下した二番物を受ける二番選別装置３０の二番移送受樋３０ａを設けた構成である。この二番移送受樋３０ａ内には、二番移送螺旋３０ｂを回転自在に軸支した構成である。この二番移送螺旋３０ｂにより、いずれか一方側の、例えば、右外側へ設けた二番還元揚送装置３１内へ移送供給され、この二番還元揚送装置３１内へ回転自在に軸支内装した二番還元螺旋３１ａにより、二番物を再脱穀処理する二番処理室２８内へ揚送還元され、再脱穀処理される構成である。
【００５５】
前記一番選別装置２９と、二番選別装置３０との間の外側には、図１で示す如く二番送風機３２を設け、この二番送風機３２から発生する二番選別風により、揺動選別装置８ａから落下する揺動選別物、及びこの揺動選別装置８ａの流下棚１０ｃを流下する揺動選別物を、風選別する構成である。
【００５６】
前記揺動選別装置８ａの移送終端部の上側には、図１で示す如く吸引ファン３３を設けた構成である。この吸引ファン３３により、揺動選別装置８ａ上を揺動選別中に、選別された藁屑、塵埃、及び稈切等を吸引して、機外へ排出する構成である。
【００５７】
前記穀粒貯留タンク１８内に貯留した穀粒を機外へ排出するこの穀粒貯留タンク１８の後側には、縦移送螺旋３４ａを内装した排出支持筒３４を略垂直姿勢で旋回自在に装着して設け、この排出支持筒３４の上端部には、その全長がコンバイン１の前後長に亘る機外へ穀粒を排出する排出螺旋３５ａを伸縮自在に内装した排出オーガ３５を伸縮自在、上下回動自在、及び左右旋回自在に前後方向に配設した構成である。
【００５８】
二番物を脱穀室３７へ直接還元して、この脱穀室３７内へ軸支した扱歯３７ｂを装着した扱胴３７ａで、穀稈の脱穀処理と、二番物の再脱穀処理との両者を行う構成の脱穀機３６において、この脱穀機３６の脱穀室３７内には、この脱穀室３７内を移送終端部へ向けて移送される脱穀処理物の送りを悪くするために、抵抗を付加する状態にしたり、又は、送りを良好にするために、抵抗を付加しない状態に単独で調節可能なＬ字形状の抵抗板３８を設けた構成である。この抵抗板３８は、図３〜図５で示す如く中側板３９ａと、後側板３９ｂとの間に形成される排塵口３９の前側の中側板３９ａの所定距離前方位置へ設けた構成である。
【００５９】
前記抵抗板３８は、左右方向の略中央部に設けた支持ピン３８ａを、脱穀室３７の上側へ設けた扱胴カバー３７ｃへ挿入し、ナット３８ｂにより、回動自在に軸支した構成である。又、右端部には、締付具３８ｃを設け、この締付具３８ｃにより、所定位置へ調節して固定する構成である。４０は前抵抗板である。
【００６０】
これにより、前記排塵口３９の近傍には、単独で調節する抵抗板３８を設けたことにより、脱穀室３７の排塵口３９から排出される穀粒量を大巾に減少させることができ、このために、三番飛散穀粒の減少を図ることができる。
【００６１】
前記抵抗板３８を最大抵抗が付加される状態位置へ調節したときには、この抵抗板３８の先端部位置には、図４、及び図５で示す如く脱穀室３７内で発生した藁屑等を切断する切刃４１を位置させて設けた構成である。
【００６２】
これにより、前記抵抗板３８を最大抵抗位置へ調節したときには、この抵抗板３８の先端部位置には、切刃４１を位置させて設けたことにより、脱穀処理物を小さくすることができ、このために、脱穀処理物の漏下が容易となり、三番飛散穀粒の減少を図ることができる。又、脱穀室３７内での異常音の発生防止ができる。
【００６３】
前記二番選別装置３０の二番移送受樋３０ａの後側部の流下板３０ｃの先端部は、図１で示す如く上下に調節可能に上調節流下板３０ｄを設けて、この上流下板３０ｄをボルト、及びナット等により、装着して上下調節可能に設けると共に、上端部は、内側へＬ字形状に折り曲げした構成である。
【００６４】
これにより、前記二番移送受樋３０ａの後側部の流下板３０ｃの先端高さ位置を、上下調節可能に上調節流下板３０ｄを設けると共に、内側へ折曲させたことにより、選別性能の向上を図ることができる。又、三番飛散穀粒の減少を図ることができる。
【図面の簡単な説明】
【００６５】
【図１】脱穀機の拡大側断面図
【図２】コンバインの左側全体側面図
【図３】他の実施例を示す図で、脱穀機の拡大側断面図
【図４】他の実施例を示す図で、抵抗板部の取付部の拡大側面図
【図５】他の実施例を示す図で、抵抗板部の取付部の拡大平面図
【符号の説明】
【００６６】
５      脱穀室
６      選別室
８ａ    揺動選別装置
９ａ    移送棚
９ｂ    上グレンシーブ
９ｃ    上チャフシーブ
９ｄ    ストローラック
１０ｂ  下グレンシーブ
１０ｃ  流下棚
１１ａ  穀粒移送棚
１１ｂ  前ガイド板
１１ｃ  後ガイド板
１２    上副選別風路
１４    送風機
１５ａ  上風割
１５ｂ  下風割
【図１】
2005210942.tif 000003
【図２】
2005210942.tif 000004
【図３】
2005210942.tif 000005
【図４】
2005210942.tif 000006
【図５】
2005210942.tif 000007